(57)【特許請求の範囲】
【請求項１】
カメラ付きドアホン子器と、そのカメラ付きドアホン子器と接続されるモニタ付きインターホン親機と、そのモニタ付きインターホン親機に接続されるモニタ付きインターホン副親機とを備えるモニタ付きワイヤレス通話システムにおいて、
前記カメラ付きドアホン子器と前記モニタ付きインターホン副親機との通話の際には、前記モニタ付きインターホン親機は、分析合成符号化方式により音声圧縮した音声信号と映像圧縮した映像信号とを前記モニタ付きインターホン副親機に時分割多重伝送し、前記モニタ付きインターホン副親機は、波形符号化方式により音声圧縮した音声信号を前記モニタ付きインターホン親機に時分割多重伝送すると共に、
前記モニタ付きインターホン親機と前記モニタ付きインターホン副親機との内線通話の際には、前記モニタ付きインターホン親機は、分析合成符号化方式により音声圧縮した音声信号を前記モニタ付きインターホン副親機に時分割多重伝送し、前記モニタ付きインターホン副親機は、波形符号化方式により音声圧縮した音声信号を前記モニタ付きインターホン親機に時分割多重伝送することを特徴とするモニタ付きワイヤレス通話システム。
【発明の詳細な説明】
【０００１】
【発明の属する技術分野】
本発明は、カメラ付きドアホン子器と、モニタ付きインターホン親機と、モニタ付きインターホン副親機とを備えるモニタ付きワイヤレス通話システムに関するものである。
【０００２】
【従来の技術】
住戸外に取り付けられるカメラ付きドアホン子器と、住戸内に取り付けられカメラ付きドアホン子器に接続されるモニタ付きインターホン親機と、住戸内に取り付けられモニタ付きインターホン親機に接続されるモニタ付きインターホン副親機とを備えたモニタ付きワイヤレス通話システムがある。このようなシステムは、カメラ付きドアホン子器に設けられた呼出釦を来客者が操作することによって、モニタ付きインターホン親機が２線式信号線を介してカメラ付きドアホン子器に給電し、カメラ付きドアホン子器に設けられたカメラが撮像した来客者の映像をモニタ付きインターホン親機（またはモニタ付きインターホン副親機）に設けられたモニタに映し出すと共に、カメラ付きドアホン子器及びモニタ付きインターホン親機（またはモニタ付きインターホン副親機）にそれぞれ設けられたマイク及びスピーカを用いて音声通話が行えるように構成されている。このようなモニタ付きワイヤレス通話システムの一例を図３に基づいて説明する。
【０００３】
図３はモニタ付きワイヤレス通話システムの構成図で、カメラ付きドアホン子器Ａは、マイク１と、スピーカ２と、マイク１に入力された音声信号を増幅するアンプ（以下、マイクアンプ３）と、スピーカを駆動するためのアンプ（以下、スピーカアンプ４）と、マイク１及びスピーカ２に接続される信号線をまとめて２線式信号線に変換する２線４線変換回路Ｈと、来客者の姿を捉えるためのカメラ（図示省略）と、カメラから出力される映像信号をＦＭ変調するＦＭ変調回路５と、操作された場合にその旨の制御信号を出力する呼出釦（図示省略）と、音声信号及び映像信号を多重化した信号または制御信号を２線式信号線を介してモニタ付きインターホン親機Ｂに出力すると共に、モニタ付きインターホン親機Ｂから伝送される多重化信号から音声信号を分離する多重化分離化処理部６とを備えている。
【０００４】
また、モニタ付きインターホン親機Ｂは、マイク７と、スピーカ８と、マイクアンプ９と、スピーカアンプ１０と、２線４線変換回路Ｈと、モニタ（図示省略）と、２線式信号線を介してカメラ付きドアホン子器Ａに電力を供給する給電回路１１と、ＦＭ変調された映像信号を復調するＦＭ復調回路１２と、音声信号を多重化しカメラ付きドアホン子器Ａに出力すると共に、カメラ付きドアホン子器Ａから伝送される多重化信号を分離する多重化分離化処理部１３と、カメラ付きドアホン子器Ａからの呼び出しに応答して通話を開始する際に操作する通話釦（図示省略）と、モニタ付きインターホン親機Ｂとモニタ付きインターホン副親機Ｃ間で通話（内線通話）を行う際に操作される内線釦（図示省略）と、各種信号線の接続状態を切り替えるスイッチと、スイッチの制御、及び、各種操作釦に対する操作に応じて所定回路の動作を制御するマイコン１４とを備えている。
【０００５】
さらに、モニタ付きインターホン副親機Ｃは、マイク１５と、スピーカ１６と、マイクアンプ１７と、スピーカアンプ１８と、２線４線変換回路Ｈと、ＦＭ変調された映像信号を復調するＦＭ復調回路１９と、音声信号を多重化し２線式信号線を介してモニタ付きインターホン親機Ｂに出力すると共に、モニタ付きインターホン親機Ｂから伝送される多重化信号を分離する多重化分離化処理部２０と、カメラ付きドアホン子器Ａからの呼び出しに応答して通話を開始する際に操作する通話釦（図示省略）と、モニタ付きインターホン親機Ｂとモニタ付きインターホン親機Ｃ間で通話を行う際に操作される内線釦（図示省略）と、マイコン２１とを備えている。
【０００６】
図３に示したシステムで、カメラ付きドアホン子器Ａとモニタ付きインターホン副親機Ｃ間で通話を行う場合、モニタ付きインターホン親機Ｂは、カメラ付きドアホン子器Ａから伝送される映像信号と音声信号とをそれぞれデジタル信号に変換し圧縮してモニタ付きインターホン親機Ｃに伝送し、逆に、モニタ付きインターホン副親機Ｃは、マイク１５に入力された音声信号をデジタル信号に変換し圧縮してモニタ付きインターホン親機Ｂに伝送するように構成されている。
【０００７】
【発明が解決しようとする課題】
以上に説明したように、モニタ付きインターホン親機Ｂとモニタ付きインターホン副親機Ｃ間でデジタル信号の伝送を行っているが、モニタ付きインターホン副親器Ｃからモニタ付きインターホン親機Ｂに伝送する方向（上り方向）と、モニタ付きインターホン親器Ｂからモニタ付きインターホン副親機Ｃに伝送する方向（下り方向）とで、伝送すべきデジタル信号の伝送量が異なるにもかかわらず、同じデータ圧縮方式を用いて圧縮し伝送するように構成されていた。この点を図４に基づいて説明する。
【０００８】
図４は図３に示したシステムの多重伝送方式を示した模式図で、図に示すように、図３に示したシステムは、モニタ付きインターホン親機Ｂとモニタ付きインターホン親機Ｃ間で交互に一定の伝送速度でデータを伝送するように構成されていた。この伝送方式を用い、上り方向と下り方向とで同じデータ圧縮方式を用いた場合、言い換えると、上り方向と下り方向とで同じ圧縮方式を用いてデジタル化された音声信号を圧縮した場合、上り方向には、映像信号を伝送せずデジタル化され圧縮された音声信号のみを伝送するため、上り方向の伝送において無駄が生じ、伝送路の伝送容量を有効に活用できないという問題点があった。
【０００９】
本発明は、上記問題点に鑑みなされたもので、その目的とするところは、伝送路の伝送容量の有効利用が図れるモニタ付きワイヤレス通話システムの構造を提供することにある。
【００１０】
【課題を解決するための手段】
上記目的を達成するため、請求項１記載のモニタ付きワイヤレス通話システムは、カメラ付きドアホン子器と、そのカメラ付きドアホン子器と接続されるモニタ付きインターホン親機と、そのモニタ付きインターホン親機に接続されるモニタ付きインターホン副親機とを備えるモニタ付きワイヤレス通話システムにおいて、
前記カメラ付きドアホン子器と前記モニタ付きインターホン副親機との通話の際には、前記モニタ付きインターホン親機は、分析合成符号化方式により音声圧縮した音声信号と映像圧縮した映像信号とを前記モニタ付きインターホン副親機に時分割多重伝送し、前記モニタ付きインターホン副親機は、波形符号化方式により音声圧縮した音声信号を前記モニタ付きインターホン親機に時分割多重伝送すると共に、
前記モニタ付きインターホン親機と前記モニタ付きインターホン副親機との内線通話の際には、前記モニタ付きインターホン親機は、分析合成符号化方式により音声圧縮した音声信号を前記モニタ付きインターホン副親機に時分割多重伝送し、前記モニタ付きインターホン副親機は、波形符号化方式により音声圧縮した音声信号を前記モニタ付きインターホン親機に時分割多重伝送することを特徴とするものである。
【００１１】
【発明の実施の形態】
まず、デジタル信号のデータ圧縮方式について説明する。この方式としては、例えば、分析合成符号化方式と波形符号化方式がある。分析合成符号化方式は、入力信号の分析により得られるパラメータに対して符号化を行う方式で、この方式には、ＰＳＩ＿ＣＥＬＰ（Ｐｉｃｈ  Ｓｙｎｃｈｒｏｎｏｕｓ  Ｉｎｎｏｖａｔｉｏｎ  Ｃｏｄｅ  Ｅｘｃｉｔｅｄ  Ｌｉｎｅａｒ  Ｐｒｅｅｄｉｃｔｉｏｎ  ）と、ＣＳ＿ＡＣＥＬＰ（Ｃｏｎｊｕｇａｔｅ  Ｓｔｒｕｃｔｕｒｅ  Ａｌｇｅｂｒａｉｃ  ＣｏｄｅＥｘｃｉｔｅｄ  Ｌｉｎｅａｒ  Ｐｒｅｅｄｉｃｔｉｏｎ  ）の２つの方式がある。６４ｋｂｉｔのＰＣＭ信号を圧縮した場合、ＰＳＩ＿ＣＥＬＰ方式では、５．６ｋｂｉｔに圧縮され、ＣＳ＿ＡＣＥＬＰ方式では、８ｋｂｉｔに圧縮されるので圧縮率の高い圧縮が可能である。しかし、これらの方式は演算量が多いという特徴がある。
【００１２】
一方、波形符号化方式は、入力信号波形の線形予測信号との残差信号に対して符号化を行う方式で、６４ｋｂｉｔのＰＣＭ信号をＡＤＰＣＭ（Ａｄａｐｔｉｖｅ  Ｄｉｆｆｅｒｅｎｔｉａｌ  Ｐｕｌｓｅ  Ｃｏｄｅ  Ｍｏｄｕｌｅ  ）の方式で圧縮した場合、３２ｋｂｉｔ程度となるので、分析合成符号化方式と比較した場合、データサイズは大きくなる。しかし、演算量は少ないという特徴がある。そのため、映像信号も伝送する下り方向の伝送には、圧縮率の高い分析合成符号化方式を用いて音声信号を圧縮する方が映像信号の伝送量をより多くすることができるので、映像品質を確保する上で有利である。逆に、上り方向は、音声信号のみを伝送すれば良いので、圧縮率の低い波形符号化方式を用いることにより伝送路の伝送容量を有効に活用することができる。
【００１３】
図１に基づいて本発明の一実施形態について説明する。図はハンズフリー型のモニタ付きワイヤレス通話システムの構成図で、カメラ付きドアホン子器Ｄは、マイク２２と、スピーカ２３と、マイクアンプ２４と、スピーカアンプ２５と、ＦＭ変調された音声信号を復調してスピーカアンプ２５に出力するＦＭ復調回路２６と、マイクアンプ２４から出力される音声信号をＦＭ変調するＦＭ変調回路２７と、来客者の姿を捉えるためのカメラ（図示省略）と、操作された場合にその旨の制御信号を出力する呼出釦（図示省略）と、ＦＭ復調回路及２６びＦＭ変調回路２７に接続され、音声信号及び映像信号を多重化し２線式信号線を介してモニタ付きインターホン親機Ｅに出力すると共に、モニタ付きインターホン親機Ｅから伝送される多重化信号から音声信号を分離する多重化分離化処理部２８とを備えている。
【００１４】
また、モニタ付きインターホン親機Ｅは、マイク２９と、スピーカ３０と、マイクアンプ３１と、スピーカアンプ３２と、ＦＭ変調された音声信号を復調してスピーカアンプ３２に出力するＦＭ復調回路３３と、マイクアンプ３１から出力される音声信号をＦＭ変調するＦＭ変調回路３４と、モニタ（図示省略）と、２線式信号線を介してカメラ付きドアホン子器Ｄに電力を供給する給電回路３５と、ＦＭ変調された音声信号を２線式信号線を介してカメラ付きドアホン子器Ｄに出力すると共に、カメラ付きドアホン子器Ｄから２線式信号線を介して伝送される多重化信号を分離する多重化分離化処理部３６と、カメラ付きドアホン子器Ｄからの呼び出しに応答して通話を開始する際に操作する通話釦（図示省略）と、モニタ付きインターホン親機Ｅとモニタ付きインターホン副親機Ｆ間で通話を行う際に操作される内線釦（図示省略）と、モニタ付きインターホン親機Ｅの動作を制御するマイコン３７とを備えている。
【００１５】
また、モニタ付きインターホン親機Ｅは、モニタ付きインターホン副親機Ｆとの間で信号伝送を行う手段として、カメラ付きドアホン子器Ｄから伝送された映像信号をデジタル信号に変換するＡ／Ｄ変換器３８と、その変換された映像信号をＪＰＥＧ方式等の映像信号圧縮方式を用いて圧縮する映像符号化回路３９と、マイクアンプ３１から出力される音声信号をデジタル信号に変換するＡ／Ｄ変換器４０と、その変換された音声信号を分析合成符号化方式で圧縮する分析合成符号化回路４１と、モニタ付きインターホン副親機Ｆから伝送される、波形符号化方式により圧縮された音声信号を伸張処理する波形復号化回路４２と、波形復号化回路４２から出力される音声信号をアナログの音声信号に変換するＤ／Ａ変換器４３と、映像符号化回路３９及び分析合成符号化回路４１が出力する信号を時分割多重化すると共に、モニタ付きインターホン副親機Ｆから伝送された時分割多重信号から音声信号を分離する時分割多重回路４４と、その時分割多重回路４４に接続され、モニタ付きインターホン副親機Ｆに設けられた無線送受信部との間で、無線信号を伝送媒体として時分割多重信号を相互に伝送する無線送受信部４５と、無線送受信部４５に接続されるアンテナ４６とを備えている。
【００１６】
さらに、モニタ付きインターホン親機Ｅには、モニタ付きインターホン親機Ｅでの通話を制御する回路として、ＦＭ復調回路３３とスピーカアンプ３２間、ＦＭ変調回路３４とマイクアンプ３１間、モニタと多重化分離化処理部３６間に、それぞれ、スイッチＳ１、スイッチＳ２、スイッチＳ３が設けられ、モニタ付きインターホン副親機Ｆでの通話を制御する回路として、ＦＭ復調回路３３とスイッチＳ１との接続点とＤ／Ａ変換器との間、ＦＭ変調回路３４とスイッチＳ２との接続点とＡ／Ｄ変換器４０との間、多重化分離化処理部３６とスイッチＳ３との接続点とモニタとの間に、それぞれ、スイッチＳ５、スイッチＳ６、スイッチＳ７が設けられている。
【００１７】
一方、モニタ付きインターホン副親機Ｆは、アンテナ４７と、アンテナ４７に接続され、モニタ付きインターホン親機Ｅとの間で無線信号を伝送媒体として時分割多重信号を伝送するための無線送受信部４８と、無線送受信部４８に接続され、受信された多重化信号を分離すると共に、デジタル化され波形符号化方式により圧縮された音声信号を時分割多重化する時分割多重化回路４９と、時分割多重化回路４９から出力される、圧縮された映像信号を伸張処理する映像復号化回路５０と、映像復号化回路５０から出力されるデジタル映像信号をアナログの映像信号に変換してモニタに出力するＤ／Ａ変換器５１と、時分割多重化回路４９から出力される、分析合成符号化方式により圧縮された音声信号に対して伸張処理を行う分析合成復号化回路５２と、分析合成復号化回路５２から出力されるデジタル音声信号をアナログ音声信号に変換してスピーカアンプ５３に出力するＤ／Ａ変換器５４と、マイクアンプ５５から出力される音声信号をデジタル音声信号に変換するＡ／Ｄ変換器５６と、Ａ／Ｄ変換器５６から出力されるデジタル音声信号を波形符号化方式により圧縮する波形符号化回路５７と、Ｄ／Ａ変換器５４とスピーカアンプ５３間の接続状態を制御するスイッチＳ７と、Ａ／Ｄ変換器５６とマイクアンプ５５間の接続状態を制御するスイッチＳ８と、Ｄ／Ａ変換器５１とモニタ間の接続状態を制御するスイッチＳ９と、動作を制御するマイコン５８と、マイク５９と、スピーカ６０とを備えている。
【００１８】
次に、図１に示したシステムの動作について説明する。カメラ付きドアホン子器Ｄの呼出釦が操作されると、モニタ付きインターホン親機Ｅは、マイコン３７により２線式伝送線上の電圧変動を検出してカメラ付きドアホン子器Ｄの通話釦が操作されたことを検出し、カメラ付きドアホン子器Ｄに給電を行う。そして、スイッチＳ３をＯＮ状態にしてカメラ付きドアホン子器Ｄのカメラが撮像した映像をモニタに出力すると共に、スイッチＳ６をＯＮ状態にして、カメラ付きドアホン子器Ｄから伝送される映像信号をデジタル信号に変換した後、その信号をＪＰＥＧ方式等の映像信号圧縮方式を用いて圧縮し、その圧縮されたデジタル映像信号と、カメラ付きドアホン子器４の呼出釦が操作された旨の信号（制御信号）とを、モニタ付きインターホン副親機Ｆに無線送信する。この状態では、通話釦が操作されていないので、モニタ付きインターホン親機ＥのスイッチＳ１及びスイッチＳ２はＯＦＦ状態になっておりスピーカ３０とマイク２９は使用できない状態となっている。また、モニタ付きインターホン副親機Ｆのマイコン５８は、モニタ付きインターホン親機Ｅから伝送される制御信号を検出し、スイッチＳ９をＯＮ状態にして、モニタ付きインターホン親機Ｅから無線送信された時分割多重信号から圧縮されたデジタル映像信号を分離し、映像復号化回路５０によって映像伸張処理を行いアナログ信号に変換してモニタに出力する。
【００１９】
カメラ付きドアホン子器Ｄの呼び出しボタンが操作された後、モニタ付きインターホン親機Ｅの通話釦が操作されると、モニタ付きインターホン親機Ｅのマイコン３７はそれを検出し、スイッチＳ１及びスイッチＳ２をＯＮ状態、スイッチＳ６をＯＦＦ状態として、通話路を切断する旨の制御信号（通話路切断信号）をモニタ付きインターホン副親機Ｆに無線送信する。モニタ付きインターホン副親機Ｆは、通話路切断信号を検出すると、スイッチＳ９をＯＦＦ状態としてモニタへの映像出力を停止する。この状態で、カメラ付きドアホン子器Ｄとモニタ付きインターホン親機Ｅ間で通話が可能となる。
【００２０】
モニタ付きインターホン親機Ｅの通話釦の代わりに、モニタ付きインターホン副親機Ｆの通話釦が操作された場合には、モニタ付きインターホン副親機Ｆのマイコン５８は、通話釦が操作された旨を検出し、スイッチＳ７及びスイッチＳ８をＯＮ状態にして、通話路を形成する旨の制御信号（通話路形成信号）を無線信号に変換してモニタ付きインターホン親機Ｅに送信する。モニタ付きインターホン親機Ｅのマイコン３７がこの通話路形成信号を検出すると、モニタ付きインターホン親機Ｅのマイコン３７は、スイッチＳ３をＯＦＦ状態にしてモニタへの映像出力を停止すると共に、スイッチＳ４及びスイッチＳ５をＯＮ状態にしてカメラ付きドアホン子器Ｄとモニタ付きインターホン副親機Ｆ間の通話路を形成して通話可能の状態とする。
【００２１】
カメラ付きドアホン子器Ｄとモニタ付きインターホン副親機Ｆ間に通話路が形成される場合、モニタ付きインターホン親機Ｅは、カメラ付きドアホン子器Ｄから入力される時分割多重信号を、ＦＭ変調された音声信号と映像信号とに分離し、それぞれ、Ａ／Ｄ変換によりデジタル信号に変換する。変換された音声信号（デジタル音声信号）は、ＣＥＬＰ系符号化方式等の分析合成符号化方式により圧縮され、映像信号はＪＰＥＧ方式等の映像信号圧縮方式により映像圧縮される。モニタ付きインターホン親機Ｅでは、これらの圧縮されたデジタル音声信号及びデジタル映像信号を時分割多重化し無線信号に変換してモニタ付きインターホン副親機Ｆに伝送する。
【００２２】
モニタ付きインターホン副親機Ｆでは、モニタ付インターホン親機Ｅから伝送された無線信号を受信し分離復号化すると共に、モニタ付きインターホン副親機Ｆのマイク５９に入力された音声信号を波形符号化方式であるＡＤＰＣＭ系符号化手法より圧縮し時分割多重化し、無線信号に変換してモニタ付きインターホン親機Ｅに送信する。
【００２３】
モニタ付きインターホン親機Ｅとモニタ付きインターホン副親機Ｆ間で伝送される時分割多重化信号の多重化伝送方式の一実施形態を図２に示す。図に示す伝送方式は、上り方向と下り方向に交互に、それぞれｘビット長のデータを伝送する方式であり、図１に示したシステムの場合、上り方向には、波形符号化方式により圧縮されたデジタル音声信号のみで構成されるｘビット長のデータが伝送され、下り方向には、分析符号化方式により圧縮されたデジタル音声信号と、ＪＰＥＧ方式等の方式で映像圧縮されたデジタル映像信号とで構成されるｘビット長のデータが伝送される。
【００２４】
次に、モニタ付きインターホン親機Ｅとモニタ付きインターホン副親機Ｆとの通話（内線通話）を行う場合の動作について説明する。まず、モニタ付きインターホン親機Ｅの内線釦が操作されると、モニタ付きインターホン親機Ｅのマイコン５８は、モニタ付きインターホン親機ＥのスイッチＳ１乃至スイッチＳ６をＯＮ状態にする。この場合は、モニタ付きインターホン親機Ｅは、カメラ付きドアホン子器Ｄに給電せず、カメラ付きドアホン子器Ｄは、モニタ付きインターホン親機Ｅとモニタ付きインターホン副親機Ｆとの内線通話から除外される。また、モニタ付きインターホン副親機Ｆでは、モニタ付きインターホン副親機ＦのスイッチＳ７乃至スイッチＳ９をＯＮ状態にしてマイク５９とスピーカ６０を使用可能状態とする。モニタ付きインターホン親機Ｅでは、マイク２９から入力する音声信号をデジタル信号に変換して分析合成符号化方式により音声圧縮を行い、無線送受信部４５により無線送信すると共に、モニタ付きインターホン副親機Ｆから送信された音声信号を無線送受信部４５により受信し、波形符号化処理による音声伸張処理を行った後、アナログ信号への変換を行ってモニタ付きインターホン親機Ｅのスピーカ３０に出力する。モニタ付きインターホン副親機Ｆでは、モニタ付きインターホン親機Ｅから伝送される音声信号を受信し、分析合成符号化方式による音声伸張処理を行った後、アナログ信号への変換を行ってモニタ付きインターホン副親機Ｆのスピーカ６０から音声出力を行い、モニタ付きインターホン副親機Ｆのマイク５９に入力される音声信号は、デジタル信号に変換されてから波形符号化方式による音声圧縮処理され無線送受信部４８により無線送信される。
【００２５】
【発明の効果】
本発明のモニタ付きワイヤレス通話システムによれば、モニタ付きインターホン親機とモニタ付きインターホン副親機間の伝送路の伝送容量を有効に活用することが可能となる。モニタ付きインターホン親機からモニタ付きインターホン副親機への伝送では、圧縮率の高い分析合成符号化方式を用いてデジタル音声信号を圧縮する方が映像信号の伝送量を多くして映像品質を確保する上で有利であり、モニタ付きインターホン副親機からモニタ付きインターホン親機への伝送では、音声信号のみを伝送すればよいので、演算量が少なく、かつ、音質の良い符号化方式を選択することができる。
【００２６】
また、分析合成符号化方式では、圧縮時の処理と伸張時の処理を比較した場合、伸張時の処理の方が処理量が少ないため、分析合成符号化方式を用いる場合の方がモニタ付きインターホン副親機における処理量を少なくすることができる。その結果、圧縮処理及び伸張処理の符号化処理をマイコンによるデジタル信号処理で実現する場合に使用するＬＳＩも、演算処理量が少なくてすむ分、安価なものを用いることができ、モニタ付きインターホン副親機の数が多くなればなるほど、システム全体のコストの削減に寄与するという効果を奏する。
【図面の簡単な説明】
【図１】本発明のモニタ付きワイヤレス通話システムの一実施形態を示す構成図である。
【図２】本発明のモニタ付きワイヤレス通話システムの多重化伝送方式の一例を示す模式図である。
【図３】従来のモニタ付きワイヤレス通話システムの一例を示す構成図である。
【図４】従来のモニタ付きワイヤレス通話システムの多重化伝送方式の一例を示す模式図である。
【符号の説明】
Ｄ          カメラ付きドアホン子器
Ｅ          モニタ付きインターホン親機
Ｆ          モニタ付きインターホン副親機
【図１】
0003551806.tif 000002
【図２】
0003551806.tif 000003
【図３】
0003551806.tif 000004
【図４】
0003551806.tif 000005